(57)【要約】【課題】短時間で簡単に態様を変化させることができる衣服であって、変化前と変化後とでボリュームが大幅に変化しにくく、丈の長さが大幅に変化することもない衣服を提供する。【解決手段】衣服１００は、後身頃２および前身頃１を有する第１上衣１０と、第１上衣１０と連結されていて、表裏両面使用可能である巻きスカート３とを備え、後身頃２の後身頃肩部２１と前身頃１の前身頃肩部１１とが分離可能であり、後身頃２の後身頃裾部２２が、巻きスカート３のウエスト部３１と連結されている。【選択図】図１
2020079462.tif 000002
【特許請求の範囲】
【請求項１】
第１身頃および第２身頃を有する上衣と、
前記上衣と連結されていて、表裏両面使用可能である巻きスカートと、を備え、
前記第１身頃の肩部と前記第２身頃の肩部とが分離可能であり、
前記第１身頃の裾部が、前記巻きスカートのウエスト部と連結されている、ことを特徴とする衣服。
【請求項２】
前記巻きスカートのウエスト部と連続するウエスト部を有する下衣をさらに備え、
前記第２身頃の裾部が、前記下衣のウエスト部と連結されている、請求項１記載の衣服。
【請求項３】
前記第１身頃と前記巻きスカートとを連結するための連結部材をさらに備え、
前記第１身頃の裾部と前記巻きスカートのウエスト部とが、前記連結部材を介して連結されている、請求項１または請求項２記載の衣服。
【請求項４】
前記上衣と前記巻きスカートとは、分離可能に連結されている、請求項１から請求項３のいずれか記載の衣服。
【請求項５】
前記巻きスカートは取り外しが可能な予備スカートを有し、
前記巻きスカートに重ねて前記予備スカートを設置できる、請求項１から請求項４のいずれか記載の衣服。
【発明の詳細な説明】
【技術分野】
【０００１】
本発明は、異なる態様に変化可能な衣服に関するものである。
【背景技術】
【０００２】
テレビ番組等の子供向けのアニメーション作品には、例えば魔法を使うことにより、主人公等が変身するものがある。このようなアニメーション作品では、例えば主人公が変身すると、衣装等も変化して別人に変わるものがある。このようなアニメーション作品は、子供たちに比較的人気があり、子供たちはアニメーションの主人公に憧れて、自分も同じように変身したいと思うことが多い。そこで、複数の態様に変化可能であり、アニメーション作品の主人公になった気分を味わうことができる子供向けの衣服が、従来から提案されている。
【０００３】
例えば、特許文献１には、スリーブ、胸部と腰部間を覆うウエストおよびスカートが一体となったドレスおもちゃが開示されている。このドレスおもちゃにおいて、スカートは、第１のスカートと、その外側に重なる第２のスカートとを備えていて、第２のスカートは帯状のベルトの内側に隠れた状態で収納可能である。このドレスおもちゃにより、衣装替えを行う場合は、帯状のベルトを下方に向けて折り返して第２のスカートを収納状態から解放し、第１のスカートを第２のスカートで覆うようにする。これにより、短時間でスカートの外観が変化して、衣装替えを行うことができ、変身した気分を味わうことができる。
【先行技術文献】
【特許文献】
【０００４】
【特許文献１】実用新案登録３０８３９５９号公報
【発明の概要】
【発明が解決しようとする課題】
【０００５】
しかし、特許文献１に記載されたドレスおもちゃによると、第２のスカートにより第１のスカートを覆うことから、変身後はスカートが二重となるため、変身前に比べてスカートのボリュームが増すこととなり、変身前後の衣装のデザインに制約があるとの問題がある。また、変身前にはスカートをベルトの内側に収納していることから、上半身のボリュームが増すことも問題である。
【０００６】
また、特許文献１に開示された以外にも、短時間で態様を変化させることが可能な衣服が提案されている。例えば、態様の異なる複数の衣服を重ねて着用する構造であり、上に着用している衣服を、順番に脱いでいくことにより、下に着用している衣服が順番に露呈することにより、複数の態様に変化可能である衣服が提案されている。しかし、この衣服では、衣服を重ねて着用していることから、態様が変化するごとにボリュームが減少していくことから、特許文献１に記載された衣服と同様に変身前後の態様に制約があるとの問題がある。また、脱いだ衣服が周りに散らかるとの問題もある。
【０００７】
また、他の衣服として、例えば、スカートの表面と裏面とで異なる模様にしておき、スカートの表面が露呈した状態からスカートの裾を上方に折り上げることにより裏面を露呈させて、態様を変化させるものもあるが、このようなスカートでは、変身前後でスカートの丈が大きく変化することとなり、デザインに制約があるとの問題がある。
【０００８】
本発明は、上述の問題点に鑑みなされたものであり、短時間で簡単に態様を変化させることができる衣服であって、変化前と変化後とでボリュームが大幅に変化しにくく、丈の長さが大幅に変化することもない衣服を提供することを目的とする。
【課題を解決するための手段】
【０００９】
本発明の一態様に係る衣服は、第１身頃および第２身頃を有する上衣と、前記上衣と連結されていて、表裏両面使用可能である巻きスカートと、を備え、前記第１身頃の肩部と前記第２身頃の肩部とが分離可能であり、前記第１身頃の裾部が、前記巻きスカートのウエスト部と連結されていることを特徴とする。
【００１０】
このような衣服によれば、第１身頃および第２身頃を肩部により連結して上衣とし、この上衣の下に別の上衣を着用しておき、巻きスカートは一方の面が露呈するように着用した状態から、肩部の連結を解除して第１身頃および第２身頃を分離させ、第１身頃および第２身頃を下方におろして別の上衣を露呈させ、さらに巻きスカートの他方の面が露呈し、かつ、第１身頃および第２身頃が巻きスカートの内側となるように巻き直すことで、態様を変化させることができる。したがって、短時間に衣服の態様を変化させることが可能であり、着用者は変身した気分を味わうことができる。
【００１１】
また、巻きスカートが重ねられるわけではなく、たんに第１身頃および第２身頃が巻きスカートの内側に位置するだけなので、ボリュームが大幅に変化することがない。また、巻きスカートの面を裏返して巻き直すことにより態様を変化させることから、変化の前後で巻きスカートの丈が大幅に変化することもない。これにより、衣服のデザインが制限されることを抑制することができる。
【００１２】
また、上記衣服において、前記巻きスカートのウエスト部と連続するウエスト部を有する下衣をさらに備え、前記第２身頃の裾部が、前記下衣のウエスト部と連結されていることとしてもよい。
【００１３】
このような衣服によれば、下衣を着用することにより、巻きスカートを巻き直す際に、下着が露呈することがない。これにより、他人に下着を見られる心配がなく、他人のいる前であっても抵抗なく衣服の態様を変化させる作業を行うことができる。
【００１４】
また、上記衣服において、前記第１身頃と前記巻きスカートとを連結するための連結部材をさらに備え、前記第１身頃の裾部と前記巻きスカートのウエスト部とが、前記連結部材を介して連結されていることとしてもよい。
【００１５】
このような衣服によれば、連結部材を設けたことにより、上衣および巻きスカートが直接連結されるのではなく、連結部材を介して間接的に連結されることとなる。これにより、上衣および巻きスカートが互いに直接関係するのではなく連結部材によりクッションをおいて関係することとなることから、上衣および巻きスカートに皺が生じたり、輪郭が崩れたりする等、シルエットに影響が出ることを防止することができる。特に、衣服を子供向けのおもちゃとして使用する場合等、簡易的な衣服とする場合は、本来は縫合しておく箇所であっても、縫合せずに開放したままとすることもあり得るが、このような箇所においてもずれ等が生じにくく、衣服の輪郭が崩れにくい。
【００１６】
また、上記衣服において、前記上衣と前記巻きスカートとは、分離可能に連結されていることとしてもよい。
【００１７】
このような衣服によれば、上衣と巻きスカートとを分離することにより、これらを別々に着用することができることから、容易に着用することができる。特に、子供であっても、容易に着用することができる。なお、上衣および巻きスカートを着用後に上衣と巻きスカートとを連結すればよい。また、上衣と巻きスカートとを分離することにより、アイロンがけ等も容易に行うこともできる。
【００１８】
また、上記衣服において、前記巻きスカートは取り外しが可能な予備スカートを有し、二重構造とされることとしてもよい。
【００１９】
このような衣服によれば、予備スカートを取り付けた場合と、取りはずした場合とで巻きスカートの模様や形状等を変化させることができる。それにより、衣服の態様の変化のバリエーションを増やすことができる。
【発明の効果】
【００２０】
本発明によれば、短時間で簡単に態様を変化させることができる衣服であって、変化前と変化後とでボリュームが大幅に変化しにくく、丈の長さが大幅に変化することもない衣服を提供可能であるとの効果を奏する。
【図面の簡単な説明】
【００２１】
【図１】本発明の実施形態に係る衣服の表面の構成を示す平面図である。
【図２】本発明の実施形態に係る衣服の裏面の構成を示す平面図である。
【図３】本発明の実施形態に係る衣服を着用した状態の第１態様を示す図であって、図３（ａ）は前側から見た図であり、図３（ｂ）は後側から見た図である。
【図４】本発明の実施形態に係る衣服を着用した状態の第２態様を示す図であって、図４（ａ）は前側から見た図であり、図４（ｂ）は後側から見た図である。
【図５】本発明の実施形態に係る衣服を着用した状態で、第１態様から第２態様へと変化していく過程を示す図であり、図５（ａ）〜図５（ｃ）は各変化工程を示す図である。
【図６】本発明の実施形態に係る衣服を着用した状態で、第１態様から第２態様へと変化していく過程を示す図５に続く図であり、図６（ｄ）〜図６（ｆ）は各変化工程を示す図である。
【図７】本発明の別の実施形態に係る衣服の構成について説明するための図であり、図７（ａ）は着せ替え用スカートが分離した状態を示す図であり、図７（ｂ）は着せ替え用スカートを装着した状態を示す図である。
【発明を実施するための形態】
【００２２】
本発明の実施形態に係る衣服について、図面を用いて以下に説明する。
【００２３】
（実施形態）
本発明の実施形態に係る衣服の構成について図面を用いて説明する。図１は、本発明の実施形態に係る衣服の表面の構成を示す平面図である。また、図２は、本発明の実施形態に係る衣服の裏面の構成を示す平面図である。また、図３は、本発明の実施形態に係る衣服を着用した状態の第１態様を示す図であって、図３（ａ）は前側から見た図であり、図３（ｂ）は後側から見た図である。また、図４は、本発明の実施形態に係る衣服を着用した状態の第２態様を示す図であって、図４（ａ）は前側から見た図であり、図４（ｂ）は後側から見た図である。
【００２４】
図１および図２に示すように、衣服１００は、第１上衣１０、巻きスカート３および土台スカート４を備えている。また、これら第１上衣１０、巻きスカート３および土台スカート４は、互いに分離せず、一体となるように形成されている。第１上衣１０は前身頃１および後身頃２を備え、前身頃１の左側縁部１６と後身頃２の左側縁部２６とが縫合されて連結されている。ここで、本明細書において「右」および「左」は衣服１００を着用した着用者を基準とする。したがって、図１において前身頃１の左側縁部１６は前身頃１の右側に位置するが、衣服１００を着用した場合は着用者の左側に位置することから前身頃１の左側縁部１６としている。前身頃１の右側縁部１５、後身頃２の右側縁部２５および左側縁部２６も同様に着用者を基準として、「右」、「左」を判断している。
【００２５】
また、前身頃１の肩部１１および後身頃２の肩部２１には、それぞれホック１３およびホック２３が形成されている。ホック１３およびホック２３は連結および分離が可能な構成となっている。これにより、ホック１３およびホック２３を連結することにより前身頃１の肩部１１および後身頃２の肩部２１を連結し、ホック１３およびホック２３を分離することにより前身頃１の肩部１１および後身頃２の肩部２１を分離することが可能である。
【００２６】
巻きスカート３はいわゆるリバーシブルであって、表裏両面において使用可能である。図１および図２を比較するとわかるように、巻きスカート３において表面３ａおよび裏面３ｂには互いに異なる模様および形状が形成されており、表面３ａおよび裏面３ｂを切り替えることにより、まったく別のスカートとして使用することが可能である。また、図２に示すように、巻きスカート３のウエスト部３１と後身頃２の裾部２２とが第２帯状体２４を介して連結されている。この第２帯状体２４は布により構成されており、ウエスト部３１および裾部２２と縫合されていればよい。
【００２７】
土台スカート４は、いわゆるキュロットスカートであり、一見スカートに見えるが、半ズボンのような構造となっている。また、図２に示すように、土台スカート４のウエスト部４１と前身頃１の裾部１２とが第１帯状体１４を介して連結されている。この第１帯状体１４は布により構成されており、ウエスト部４１および裾部１２と縫合されていればよい。
【００２８】
上述したように、第１帯状体１４および第２帯状体２４が設けられる構成としたが、このような構成としたことにより、衣服１００を着用した際に、第１上衣１０および巻きスカート３に皺が生じたり、輪郭が崩れたりすること等を防止することができ、衣服１００のシルエットが崩れることを防止することができる。例えば、第１帯状体１４および第２帯状体２４が設けられていることにより、後述する第１態様において第１上衣１０が巻きスカート３の上にかぶるように好ましい配置とされる。また、第１帯状体１４および第２帯状体２４が設けられていることにより、衣服１００において、前身頃１の右側縁部１５および後身頃２の右側縁部２５は連結されていないにもかかわらず、衣服１００を着用した際に互いの位置がずれにくい。
【００２９】
例えば、巻きスカート３のウエスト部３１と後身頃２の裾部２２とが直接縫合されている場合は、これらが直接関係することとなる。つまり、例えばウエスト部３１が引っ張られると裾部２２も引っ張られることとなるが、第２帯状体２４を介して縫合されている場合は、ウエスト部３１が引っ張られたとしても、第２帯状体２４に形成された弛みにより引っ張られた分を吸収し、裾部２２が引っ張られることを抑制することができる。このため、第１上衣１０および巻きスカート３に皺が生じたり、輪郭が崩れたりすること等を防止することができ、衣服１００のシルエットが崩れることを防止することができる。また、第１帯状体１４についても第２帯状体２４と同様の働きをする。
【００３０】
土台スカート４は、上述したようにキュロットスカートとしたが、普通のスカートであってもよい。また、土台スカート４は、衣服１００の態様を変化させる際に、着用者の下着が露呈することを防ぐためのものである。したがって、着用者の下着が露呈することを防ぐものであればよく、ズボンであってもよい。ただし、巻きスカート３の下から見えないように、巻きスカート３よりも丈が短いものであることが好ましい。
【００３１】
次に、図を用いて衣服１００を着用した状態について説明する。なお、衣服１００は複数の態様に変化が可能である。図３は、本発明の実施形態に係る衣服を着用した状態の第１態様を示す図であって、図３（ａ）は前側から見た図であり、図３（ｂ）は後側から見た図である。また、図４は、本発明の実施形態に係る衣服を着用した状態の第２態様を示す図であって、図４（ａ）は前側から見た図であり、図４（ｂ）は後側から見た図である。
【００３２】
図３（ａ）および図３（ｂ）に示すように、衣服１００の第１態様では、第１上衣１０および巻きスカート３により構成される態様である。ここで、第１上衣１０は、前身頃１および後身頃２のホック１３およびホック２３を連結された形態である。また、巻きスカート３は表面３ａが露呈されるように着用者に巻き付けられている。具体的には、図１および図２に示す衣服１００において、着用者は土台スカート４を着用し、着用者の後側から巻きスカート３を下半身に巻き付けて前側に回して着用者の左側において巻きスカート３の側縁部同士を連結することにより巻きスカート３を着用している状態である。なお、図示はしていないが、巻きスカート３の側縁部には互いに連結することができるように、ホックや釦等が設けられている。
【００３３】
前身頃１は着用者の前側に位置し、後身頃２は着用者の後ろ側に位置して、互いの肩部１１、２１を連結することで着用者は第１上衣１０を着用した状態となる。また、第１態様において第１上衣１０が巻きスカート３の上にかぶるように配置されている。ここで、前身頃１の右側縁部１５と、後身頃２の右側縁部２５とは連結されていないが、例えば、互いにホック等を設けておき連結できるようにしておいてもよい。ただし、右側縁部１５および右側縁部２５を連結していると、第２態様へと変化する際にこれらの連結をはずす手間が増えることから、その分第１態様から第２態様に変化する際に時間がかかることとなる。なお、第２態様から第１態様に変化する場合も同様である。
【００３４】
図４（ａ）および図４（ｂ）に示すように、衣服１００の第２態様では、第２上衣５および巻きスカート３により構成される態様である。ここで、第２上衣５は第１上衣１０の下に予め着用されていたものである。巻きスカート３は裏面３ｂが露呈されるように着用者に巻き付けられている。具体的には、図１および図２に示す衣服１００において、着用者は土台スカート４を着用し、着用者の前側から巻きスカート３を下半身に巻き付けて後側に回して着用者の左側において巻きスカート３の側縁部同士を連結することにより巻きスカート３を着用している状態である。また、前身頃１および後身頃２は露呈しないように巻きスカート３の内側に位置し、巻きスカート３に覆われている。
【００３５】
次に、図面を用いて、衣服１００が第１態様から第２態様に変化する過程を説明する。図５は、本発明の実施形態に係る衣服を着用した状態で、第１態様から第２態様へと変化していく過程を示す図であり、図５（ａ）〜図５（ｃ）は各変化工程を示す図である。また、図６は、本発明の実施形態に係る衣服を着用した状態で、第１態様から第２態様へと変化していく過程を示す図５に続く図であり、図６（ｄ）〜図６（ｆ）は各変化工程を示す図である。
【００３６】
図５（ａ）は、衣服１００を第１態様として着用した状態を前側から見た図である。例えば、着用者は土台スカート４を着用し、巻きスカート３を表面３ａが外部に露呈するように巻き付け、さらに着用前身頃１および後身頃２のホック１３およびホック２３を互いに連結することで、第１態様の状態となる。この第１態様から第２態様へと変身する場合は、図５（ｂ）に示すように、まず、着用者はホック１３およびホック２３を分離する。これにより、前身頃１の肩部１１および後身頃２の肩部２１が分離する。ここで、前身頃１の裾部１２は土台スカート４のウエスト部４１と第１帯状体１４を介して連結されているので、前身頃１の裏面が外部に露呈するように下方に垂れることとなる。なお、図示はされていないが、後身頃２の裾部２２は巻きスカート３のウエスト部３１に第２帯状体２４を介して連結されているので、後身頃２の裏面は外部に露呈するように下方に垂れることとなる。
【００３７】
なお、図５（ｂ）に示すように、前身頃１の裏面が外部に露呈するように下方に垂れた場合に、前身頃１は巻きスカート３の丈よりも下方に位置しないことが好ましい。なお、後身頃２の裏面が外部に露呈するように下方に垂れている場合も同様に、巻きスカート３の丈よりも下方に位置しないことが好ましい。これにより、第２態様において、巻きスカート３の裏面３ｂが外部に露呈するように着用した場合に、前身頃１および後身頃２が巻きスカート３により完全に覆われて外観からは認識できない。
【００３８】
また、前身頃１および後身頃２の互いの肩部１１および肩部２１を分離して、前身頃１および後身頃２が前側下方および後側下方に垂れた場合に、第２上衣５が露呈する。第２上衣５は衣服１００とは別体であり、着用者は予め第２上衣５を着用したうえで、衣服１００を着用すればよい。なお、本実施形態では、第２上衣５と衣服１００とは別体としたが、これらを一体としてもよい。この場合は、例えば、第１上衣１０の内側に第２上衣５を連結しておけばよい。具体的には、第２上衣５を前身頃１および後身頃２の内側に配置して、前身頃１の裾部１２および後身頃２の裾部２２を第２上衣５の裾部と縫合しておけばよい。
【００３９】
次に、巻きスカート３の側縁部のホック等をはずし、図５（ｃ）に示すように、巻きスカート３を着用者の前側に展開するように着用者からほどく。これにより、巻きスカート３の裏面３ｂが前側に露呈した状態となる。また、着用者の下半身の前側を覆っていた巻きスカート３が取り除かれたことから、土台スカート４が一部露呈している。なお、土台スカート４を下着の上にはいていることにより、下着が露呈することがなく、着用者が恥ずかしい思いをすることを防止できる。
【００４０】
次に、図６（ｄ）に示すように、巻きスカート３を後側から展開していくことにより、巻きスカート３が完全にほどけた状態となる。つまり、巻きスカート３はまったく着用者には巻き付いていない状態となる。図示はしていないが、この状態を着用者の背後から見た場合には、土台スカート４が外部に露呈することとなっている。なお、土台スカート４の前側には前身頃１が存在する。図６（ｄ）に示すように、着用者の前から見ると、巻きスカート３の表面３ａが認識できるが、後から見ると裏面３ｂが認識できる。
【００４１】
図６（ｄ）に示す状態から、巻きスカート３を着用者の前側から巻き付けることにより、図６（ｅ）に示すように、着用者の前側のみに巻きスカート３が巻き付いた状態となる。この際は、前身頃１および後身頃２は巻きスカート３の内側に位置することとなる。つまり、前身頃１および後身頃２は着用者と巻きスカート３との間に位置することとなり、前身頃１および後身頃２は巻きスカート３に覆われて露呈されない。また、着用者を前から見た場合は、土台スカート４も巻きスカート３により覆われており、外観からは認識できない。
【００４２】
図６（ｅ）に示す状態から、さらに巻きスカート３を着用者の後側に回して巻き付け、巻きスカート３の側縁部同士を連結することにより、図６（ｆ）に示すように、着用者の上半身は第２上衣５を着用し、下半身は裏面３ｂが外部に露呈した巻きスカート３を着用している状態となる。これにより、衣服１００は第２態様の状態となる。このようにして、衣服１００は着用者が着用した状態で、短時間で簡単に第１態様から第２態様へと変化させることができる。なお、第２態様から第１態様に変化させる場合は、上述した第１態様から第２態様に変化する過程を逆に行えばよい。
【００４３】
以上、衣服１００について、第１態様から第２態様に変化する過程も含めて、説明した。この本実施形態に係る衣服１００によれば、着用者が衣服１００を着用した状態で、簡単に短時間で態様を変化させることができる。特に、他人に手伝ってもらうことなく、一人で態様を変化させることができる。また、子供であっても、衣服１００の態様を変化させることができ、アニメーションの主人公のように、変身した気分を味わうことができる。
【００４４】
また、本実施形態に係る衣服１００によれば、衣服１００の態様を変化させる過程において、衣服を脱ぎ捨てることがないため、衣服が散らかることがなく、部屋を散らかすことがない。また、態様を変化させる方法が簡単であることから、変化方法が途中でわからなくなるといった不具合も生じにくく、誰でも使用が可能である。また、衣服１００の態様を変化させる過程において、下着が露呈することがなく、複数人で遊んでいる場合であっても、恥ずかしい思いをすることがない。
【００４５】
また、本実施形態に係る衣服１００によれば、態様の変化前後において、丈が大きく変化することがない。また、第２態様において、巻きスカート３の内側に位置するのは第１身頃１および第２身頃２だけなので、第１態様に比べて巻きスカート３のボリュームが大幅に変化することがない。
【００４６】
以上、本発明の実施形態に係る衣服１００について説明したが、衣服１００は上記以外の構成でもよい。例えば、第１帯状体１４と裾部１２とは縫合されていることとしたが、これらは縫合されているのではなく、例えばスナップ釦等を用いて分離可能に連結されていることとしてもよい。また、第２帯状体２４と裾部２２とも縫合されているのではなく、例えば釦等を用いて分離可能に連結されていることとしてもよい。つまり、第１上衣１０と、巻きスカート３および土台スカート４と、が分離可能に連結されていることとしてもよい。このような構成とすることにより、衣服１００を容易に着用することができる。なお、分離可能に連結するためには、スナップ釦以外を用いてもよく、例えば、マジックテープ（登録商標）やホックや釦等を用いればよい。
【００４７】
このような衣服１００を着用する手順について説明する。まず、衣服１００において、第１帯状体１４および裾部１２を分離し、かつ、第２帯状体２４および裾部２２を分離することにより、前身頃１および後身頃２（第１上衣１０）を、巻きスカート３および土台スカート４から分離する。そして、土台スカート４を着用してから、巻きスカート３を表面３ａが露呈するように巻き付けて着用する。なお、第２上衣５は予め着用しておけばよい。また、前身頃１および後身頃２のホック１３およびホック２３は予め連結しておき、巻きスカート３を着用後に前身頃１および後身頃２から構成される第１上衣１０を着用する。その後、第１帯状体１４および裾部１２を連結し、第２帯状体２４および裾部２２を連結することにより、図３に示す状態とすればよい。これにより、容易に衣服１００を着用することができる。特に、子供であっても容易に衣服１００を着用することができる。
【００４８】
なお、第１上衣１０と、巻きスカート３および土台スカート４と、を分離せずに着用する場合は、まず、土台スカート４を着用してから巻きスカート３を表面３ａが露呈するように巻き付けて着用することにより図５（ｂ）に示す状態とする。そして、前身頃１および後身頃２を肩部１１および肩部２１で連結するために上方に持ち上げて、前身頃１の肩部１１および後身頃２の肩部２１に形成されたホック１３およびホック２３を連結することにより、着用すればよい。なお、上述したように、前身頃１および後身頃２（第１上衣１０）を、巻きスカート３および土台スカート４から分離することができると、アイロンがけ等も容易に行うことができる。
【００４９】
なお、上記説明では、第１帯状体１４および裾部１２を分離可能とし、かつ、第２帯状体２４および裾部２２を分離可能とすることにより、第１上衣１０と、巻きスカート３および土台スカート４と、が分離可能としたが、これに限定されるわけではない。例えば、第１帯状体１４およびウエスト部４１を分離可能とし、かつ、第２帯状体２４およびウエスト部３１を分離可能とすることにより、第１上衣１０と、巻きスカート３および土台スカート４と、を分離可能としてもよい。
【００５０】
（別の実施形態）
次に、本発明の別の実施形態に係る衣服について図面を用いて説明する。図７は、本発明の別の実施形態に係る衣服の構成について説明するための図であり、図７（ａ）は着せ替え用スカートが分離した状態を示す図であり、図７（ｂ）は着せ替え用スカートを装着した状態を示す図である。なお、上述した本実施形態における衣服１００と同様の部材については同様の符号を付すこととし、同様の構成については説明を省略する。
【００５１】
図７（ａ）に示すように、別の実施形態に係る衣服１００ａにおいて、巻きスカート３の表面３ａにはマジックテープ３２が設けられている。そして、衣服１００ａは、着せ替え用スカート６をさらに備えており、着せ替え用スカート６の裏面には、マジックテープ３２に対応するマジックテープ６１が設けられている。着せ替え用スカート６は、巻きスカート３と略同じ大きさを有する布であり、表面には、巻きスカート３の表面３ａおよび裏面３ｂに形成された模様とは異なる模様が形成されている。
【００５２】
図７（ｂ）に示すように、このような衣服１００ａにおいて、巻きスカート３の表面に着せ替え用スカート６を重ねて設置し、マジックテープ３２およびマジックテープ６１を用いて巻きスカート３に着せ替え用スカート６を装着し、巻きスカート３および着せ替え用スカート６を一体化することができる。これにより、巻きスカート３の表面３ａを着せ替え用スカート６により覆って、巻きスカート３の表面３ａの模様および形状等を変化させることができる。
【００５３】
このように、別の実施形態に係る衣服１００ａによれば、着せ替え用スカート６を巻きスカート３に取り付けることにより巻きスカート３の模様や形状等を容易に変化させることができ、衣服１００ａの態様を増やすことができる。つまり、衣服１００ａによれば、巻きスカート３の態様として、表面３ａが露呈した態様および裏面３ｂが露呈した態様に加えて、着せ替え用スカート６が露呈した態様にも変化可能となり、衣服１００ａの態様が増加することとなる。したがって、衣服１００ａによれば、変化のパターンが増加し、着用者の楽しみを増大することができる。なお、巻きスカート３および着せ替え用スカート６を一体化させるためにマジックテープ３２およびマジックテープ６１を用いたが、これら以外にホックや釦等を用いて巻きスカート３および着せ替え用スカート６を一体化させることとしてもよい。
【００５４】
さらに、着せ替え用スカート６は、表面および裏面の模様および形状等が互いに異なることとし、表裏両面にマジックテープ６１が設けられて、表裏両面が使用可能であることとしてもよい。これにより、着せ替え用スカート６を巻きスカート３に一体化させて取り付ける際に、表面が露呈される状態と、裏面が露呈される状態の２つのパターンを選択することができる。つまり、衣服１００ａによれば、巻きスカート３の態様として、表面３ａが露呈した態様および裏面３ｂが露呈した態様に加えて、着せ替え用スカート６の表面が露呈した態様および着せ替え用スカート６の裏面が露呈した態様にも変化可能となり、衣服１００ａの態様がさらに増加し、変化のパターンがさらに増加することとなる。
【００５５】
本発明の実施形態および別の実施形態に係る衣服１００、１００ａについて説明したが、これら衣服１００、１００ａは子供用に限定されるわけではなく、大人が用いる衣服としてもよい。
【００５６】
以上、本発明に係る衣服について具体例を用いて説明したが、本発明は上記具体例に限定されるものではない。本発明の各部の構成等は、本発明の趣旨に沿って適宜変更可能である。
【産業上の利用可能性】
【００５７】
本発明は、短時間で態様を変化させることができる衣服として利用可能である。
【符号の説明】
【００５８】
１                  前身頃（第２身頃）
２                  後身頃（第１身頃）
３                  巻きスカート
３ａ                表面
３ｂ                裏面
４                  土台スカート（下衣）
５                  第２上衣
６                  着せ替え用スカート（予備スカート）
１０                第１上衣
１１                肩部
１２                裾部
１３                ホック
１４                第１帯状体
１５                右側縁部
１６                左側縁部
２１                肩部
２２                裾部
２３                ホック
２４                第２帯状体
２５                右側縁部
２６                左側縁部
３１                ウエスト部
３２                マジックテープ
４１                ウエスト部
６１                マジックテープ
１００、１０１      衣服
【図１】
2020079462.tif 000003
【図２】
2020079462.tif 000004
【図３】
2020079462.tif 000005
【図４】
2020079462.tif 000006
【図５】
2020079462.tif 000007
【図６】
2020079462.tif 000008
【図７】
2020079462.tif 000009
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
第１身頃および第２身頃を有する上衣と、
前記上衣と連結されている巻きスカートと、を備え、
前記第１身頃の肩部と前記第２身頃の肩部とが分離可能であり、
前記第１身頃の裾部が、前記巻きスカートのウエスト部と連結されている、ことを特徴とする衣服。
【請求項２】
前記巻きスカートのウエスト部と連続するウエスト部を有する下衣をさらに備え、
前記第２身頃の裾部が、前記下衣のウエスト部と連結されている、請求項１記載の衣服。
【請求項３】
前記第１身頃と前記巻きスカートとを連結するための連結部材をさらに備え、
前記第１身頃の裾部と前記巻きスカートのウエスト部とが、前記連結部材を介して連結されている、請求項１または請求項２記載の衣服。
【請求項４】
前記上衣と前記巻きスカートとは、分離可能に連結されている、請求項１から請求項３のいずれか記載の衣服。
【請求項５】
前記巻きスカートは取り外しが可能な予備スカートを有し、
前記巻きスカートに重ねて前記予備スカートを設置できる、請求項１から請求項４のいずれか記載の衣服。
【手続補正２】
【補正対象書類名】明細書
【補正対象項目名】０００９
【補正方法】変更
【補正の内容】
【０００９】
本発明の一態様に係る衣服は、第１身頃および第２身頃を有する上衣と、前記上衣と連結されている巻きスカートと、を備え、前記第１身頃の肩部と前記第２身頃の肩部とが分離可能であり、前記第１身頃の裾部が、前記巻きスカートのウエスト部と連結されていることを特徴とする。
【手続補正３】
【補正対象書類名】明細書
【補正対象項目名】００４５
【補正方法】変更
【補正の内容】
【００４５】
また、本実施形態に係る衣服１００によれば、態様の変化前後において、丈が大きく変化することがない。また、第２態様において、巻きスカート３の内側に位置するのは前身頃１および後身頃２だけなので、第１態様に比べて巻きスカート３のボリュームが大幅に変化することがない。
【手続補正４】
【補正対象書類名】明細書
【補正対象項目名】００５８
【補正方法】変更
【補正の内容】
【００５８】
１                  前身頃（第２身頃）
２                  後身頃（第１身頃）
３                  巻きスカート
３ａ                表面
３ｂ                裏面
４                  土台スカート（下衣）
５                  第２上衣
６                  着せ替え用スカート（予備スカート）
１０                第１上衣
１１                肩部
１２                裾部
１３                ホック
１４                第１帯状体
１５                右側縁部
１６                左側縁部
２１                肩部
２２                裾部
２３                ホック
２４                第２帯状体（連結部材）
２５                右側縁部
２６                左側縁部
３１                ウエスト部
３２                マジックテープ
４１                ウエスト部
６１                マジックテープ
１００、１０１      衣服